【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
三相交流電源からの入力側に設けられたＬＣフィルタと、入力三相電源を全波整流する第１のスナバダイオード群と出力三相電源を全波整流する第２のスナバダイオード群と前記第１および第２のスナバダイオード群により整流された直流電圧部に接続されたスナバコンデンサとから構成される電圧クランプ型スナバ回路とを備え、前記三相交流電源の各相と出力側の各相を自己消弧能力をもつ双方向スイッチで直接接続し、出力電圧指令に応じて交流電源電圧をＰＷＭ制御することにより任意の交流及び直流電圧を出力するマトリクスコンバータにおいて、
前記第１のスナバダイオード群と前記スナバコンデンサとの間に設けられ、前記スナバコンデンサへの充電電流を抑制するための電流抑制抵抗と該電流抑制抵抗の両端を短絡するための短絡用コンタクタとから構成されるスナバ突入電流抑制回路と、
前記スナバコンデンサの両端電圧を検出し、該検出電圧が一定のレベル以上になった場合に前記短絡用コンタクタを短絡させる手段とが設けられていることを特徴とするマトリクスコンバータ。
【請求項２】
三相交流電源からの入力側に設けられたＬＣフィルタと、入力三相電源を全波整流する第１のスナバダイオード群と出力三相電源を全波整流する第２のスナバダイオード群と前記第１および第２のスナバダイオード群により整流された直流電圧部に接続されたスナバコンデンサとから構成される電圧クランプ型スナバ回路とを備え、前記三相交流電源の各相と出力側の各相を自己消弧能力をもつ双方向スイッチで直接接続し、出力電圧指令に応じて交流電源電圧をＰＷＭ制御することにより任意の交流及び直流電圧を出力するマトリクスコンバータにおいて、
前記ＬＣフィルタを構成する各相のフィルタコンデンサにそれぞれ直列接続された電流抑制抵抗群と、該電流抑制抵抗群の両端をそれぞれ短絡するための短絡用コンタクタ群とから構成される入力フィルタ突入電流抑制回路と、
電源投入から一定時間経過した場合に前記短絡用コンタクタ群を短絡させる手段とが設けられていることを特徴とするマトリクスコンバータ。
【請求項３】
前記短絡用コンタクタ群および前記電流抑制抵抗群は、三相交流電源の三相にそれぞれ設けられた３つの電流抑制抵抗と、
該３つの電流抑制抵抗を短絡するための３つの短絡用コンタクタとからそれぞれ構成されている請求項２記載のマトリクスコンバータ。
【請求項４】
前記短絡用コンタクタ群および前記電流抑制抵抗群は、三相交流電源の三相中の任意の二相にそれぞれ設けられた２つの電流抑制抵抗と、
該２つの電流抑制抵抗を短絡するための２つの短絡用コンタクタとからそれぞれ構成されている請求項２記載のマトリクスコンバータ。
【請求項５】
前記第１のスナバダイオード群と前記電流抑制抵抗との間に、入力ＬＣフィルタの共振電圧を所定の電圧範囲に抑制するための入力フィルタ共振抑制コンデンサをさらに備えた請求項１記載のマトリクスコンバータ。
【請求項６】
前記ＬＣフィルタを構成する入力三相リアクトルにそれぞれ並列に設けられた抵抗からなる入力フィルタ共振抑制抵抗群をさらに備えた請求項１記載のマトリクスコンバータ。
【請求項７】
前記入力フィルタ共振抑制抵抗群を構成する各抵抗に対して直列に接続されたコンタクタをさらに備えた請求項６記載のマトリクスコンバータ。
【請求項８】
三相交流電源からの入力側に設けられたＬＣフィルタと、入力三相電源を全波整流する第１のスナバダイオード群と出力三相電源を全波整流する第２のスナバダイオード群と前記第１および第２のスナバダイオード群により整流された直流電圧部に接続されたスナバコンデンサとから構成される電圧クランプ型スナバ回路とを備え、前記三相交流電源の各相と出力側の各相を自己消弧能力をもつ双方向スイッチで直接接続し、出力電圧指令に応じて交流電源電圧をＰＷＭ制御することにより任意の交流及び直流電圧を出力するマトリクスコンバータにおいて、
前記第１のスナバダイオード群と前記スナバコンデンサとの間に設けられ、前記スナバコンデンサへの充電電流を抑制するための電流抑制抵抗と該電流抑制抵抗の両端を短絡するための短絡用コンタクタとから構成されるスナバ突入電流抑制回路と、
前記ＬＣフィルタを構成する入力三相リアクトルと前記ＬＣフィルタを構成する各相のフィルタコンデンサとの接続点を引き出したものであって、前記ＬＣフィルタの共振電圧を抑制するための入力フィルタ共振抑制部を外部に接続できる接続端子と、を備え、
前記入力フィルタ共振抑制部が、前記接続端子を介して前記入力三相リアクトルにそれぞれ並列に接続されることを特徴とするマトリクスコンバータ。
【請求項９】
前記入力フィルタ共振抑制部が、抵抗からなる入力フィルタ共振抑制抵抗群であることを特徴とする請求項８記載のマトリクスコンバータ。
【請求項１０】
前記入力フィルタ共振抑制部が、抵抗からなる入力フィルタ共振抑制抵抗群であって、前記入力フィルタ共振抑制抵抗群を構成する各抵抗に対して直列に接続されたコンタクタをさらに備えたものであることを特徴とする請求項８記載のマトリクスコンバータ。
【請求項１１】
三相交流電源からの入力側に設けられたＬＣフィルタと、入力三相電源を全波整流する第１のスナバダイオード群と出力三相電源を全波整流する第２のスナバダイオード群と前記第１および第２のスナバダイオード群により整流された直流電圧部に接続されたスナバコンデンサとから構成される電圧クランプ型スナバ回路とを備え、前記三相交流電源の各相と出力側の各相を自己消弧能力をもつ双方向スイッチで直接接続し、出力電圧指令に応じて交流電源電圧をＰＷＭ制御することにより任意の交流及び直流電圧を出力するマトリクスコンバータにおいて、
前記第１のスナバダイオード群と前記スナバコンデンサとの間に設けられ、前記スナバコンデンサへの充電電流を抑制するための電流抑制抵抗と該電流抑制抵抗の両端を短絡するための短絡用コンタクタとから構成されるスナバ突入電流抑制回路と、
前記ＬＣフィルタを構成する入力三相リアクトルと前記ＬＣフィルタを構成する各相のフィルタコンデンサとの接続点を引き出したものであって、前記ＬＣフィルタの共振電圧を抑制するためのリアクトルと抵抗とコンデンサのいずれか２つ以上を直列に接続した入力フィルタ共振抑制部を外部に接続できる接続端子と、を備え、
前記入力フィルタ共振抑制部が、一端を前記接続端子に接続され、他端をそれぞれ共通に接続されることを特徴とするマトリクスコンバータ。
【手続補正２】
【補正対象書類名】明細書
【補正対象項目名】００１１
【補正方法】変更
【補正の内容】
【００１１】
この電圧クランプ型のスナバ回路を用いている場合、電圧クランプ用のスナバコンデンサ７６が設けられているため、入力フルタで発生したサージ電圧もクランプされ電源投入時の電圧抑制効果も有することになる。しかし、このスナバ回路は双方向スイッチのサージ電圧保護のために存在するため、スナバコンデンサ７６は、例えば数μＦ等の非常に小さい静電容量で構成されている。しかし、本来双方向スイッチの保護用に存在するスナバ回路を入力フィルタの突入によるサージ電圧抑制も可能にするようなスナバコンデンサ静電容量を選択することにより、電源投入時に安定した動作を実現できることになる。
【手続補正３】
【補正対象書類名】明細書
【補正対象項目名】００５１
【補正方法】変更
【補正の内容】
【００５１】
上記で説明した第３の実施形態では、スナバコンデンサ６に流れる突入電流を抑制するために設けた電流抑制抵抗１０−１に起因する入力フィルタの突入時の共振を抑制するための構成が示されていた。本実施形態では、この入力フィルタの突入時の共振を抑制するための他の構成について説明する。